(57)【要約】【課題】筐体に装着したキャップの着脱が容易に行えるようにする。【解決手段】下側筐体２に凹状に設けた嵌合凹部３１と、外部との電気的接続を図る接続端子が露出する嵌合凹部内３１に設けた端子口３２と、可撓性を有するキャップ５を嵌合凹部３１に着脱自在に嵌合してキャップ５により端子口３２を開閉自在に塞ぐために端子口３２の近傍の嵌合凹部３１内に設けた、キャップ５を取付ける取付口３３とを有する携帯電話器であって、キャップ５には、取付口３３に着脱可能な形状の係合突起５１，５２を有するとともに、係合突起５１，５２には、この係合突起５２自身が変移しながら取付口３３に着脱するための隙間５４を有する。【選択図】　図４
2004140166.tif 000002
【特許請求の範囲】
【請求項１】
筐体に凹状に設けた嵌合凹部と、外部との電気的接続を図る接続端子が露出する前記嵌合凹部内に設けた端子口と、可撓性を有するキャップを前記嵌合凹部に着脱自在に嵌合して前記キャップにより前記端子口を開閉自在に塞ぐために前記端子口の近傍の前記嵌合凹部内に設けた、前記キャップを取付ける取付口とを有する電子機器であって、
前記キャップには、前記取付口に着脱可能な形状の係合突起を有するとともに、
前記係合突起には、前記係合突起自身が変移しながら前記取付口に着脱するための隙間を有することを特徴とする電子機器。
【請求項２】
前記係合突起は、前記キャップの内面側から突出する第一の係合突起と、前記第一の係合突起近傍の前記内面側において前記第一の係合突起に相対する状態で突出する第二の係合突起とを、前記取付口に着脱可能な状態で備えるとともに、
前記第二の係合突起の上部側の縁部から延出して前記第一の係合突起の上部側と一体に繋がる延出部を備え、かつ、
前記第一の係合突起と前記第二の係合突起との間の一部に前記隙間を有することを特徴とする請求項１に記載の電子機器。
【請求項３】
前記筐体の前記嵌合凹部は、前記筐体の側面と端面とが交わる角隅面の部分に一部が跨った状態で設けてあることを特徴とする請求項１又は２に記載の電子機器。
【請求項４】
前記筐体の角隅面は固有の曲率でアール状に形成しているとともに、
前記キャップは、前記筐体の前記角隅面のアール形状に対応する曲率で前記第二の係合突起の突出方向に向けて湾曲した形状を有することを特徴とする請求項３に記載の電子機器。
【請求項５】
前記筐体の前記角隅面は固有の傾斜角度で面取り形状に形成しているとともに、
前記キャップは、前記筐体の前記角隅面の面取り形状に対応する傾斜角度で前記第二の係合突起の突出方向に向けて傾斜した形状を有することを特徴とする請求項３に記載の電子機器。
【請求項６】
前記キャップの前記第一の係合突起は前記第二の係合突起よりも細幅であって、前記第一及び第二の係合突起の全体形状が略Ｔ字型を呈することを特徴とする請求項１乃至５のいずれか１項に記載の電子機器。
【請求項７】
少なくとも前記第一の係合突起には、前記キャップの開放方向に向けて突出する突起を先端部に設けたことを特徴とする請求項１乃至６のいずれか１項に記載の電子機器。
【請求項８】
前記キャップの前記内面側の前記第一の係合突起を突出する部位又は前記部位の近傍には、前記キャップの開放方向と直交する方向に沿った溝を設けたことを特徴とする１乃至７のいずれか１項に記載の電子機器。
【請求項９】
前記キャップの外面側の前記第二の係合突起を突出する部位又は前記部位の近傍には、前記第一の係合突起の近傍に設けた前記溝の刻設位置と対応する位置よりも前記第二の係合突起寄りの位置に、前記キャップの開放方向と直交する方向に沿った溝を配設したことを特徴とする請求項１乃至８のいずれか１項に記載の電子機器。
【請求項１０】
筐体に設けた端子口を開閉自在に塞ぎ、かつ、嵌合凹部に着脱自在に嵌合するとともに、取付口に着脱可能な請求項１〜９のいずれか１項に記載のキャップを有することを特徴とする携帯端末装置。
【請求項１１】
前記筐体の前記嵌合凹部は、アンテナを突設する側面側とは反対側の側面において、前記アンテナを設けた端面につながる角隅面に一部が跨った状態で設けたことを特徴とする請求項１０に記載の携帯端末装置。
【発明の詳細な説明】
【０００１】
【発明の属する技術分野】
本発明は、信号入出力用等のコネクタやジャックなどを保護するキャップを備えた電子機器及びこのキャップを備えた携帯電話機などの携帯端末装置に関するものである。
【０００２】
【従来の技術】
携帯電話機などの携帯端末装置にあっては、通常、ハンズフリーなどのユーザの要望に応えるために、イヤホンマイクと接続されたプラグを差し込んでイヤホンマイクと電気的に接続するイヤホンジャック（或いは信号入出力用コネクタ）などが設けられている。また、このイヤホンジャックは、普段使用しない場合、イヤホンキャップを被せてこのイヤホンジャックを外部から保護するようになっている（例えば、特許公報１参照。）。
【０００３】
ところで、近年、前述したハンズフリーばかりでなく、例えば音楽配信や、その他の機能やサービスなどを受けるために各種の専用機器などが開発されているが、イヤホンジャック（或いは信号入出力用コネクタ）などを介してこれらの専用機器などとを接続する際のイヤホンキャップの開閉頻度が増大している。
【０００４】
以下、このイヤホンキャップを備えた携帯電話機の一例について、図面を参照しながら説明する。
図９は、従来の携帯電話機１００の筐体１０１を分解した状態を示すものであり、この筐体１０１は、表面側の第１筐体１０２と裏面側の第２筐体１０３とを接合させて一体化させた構成となっており、第１の筐体１０３には、イヤホンキャップ２００を取付けるための開口溝１０３Ａを設けている。
【０００５】
図１０は、イヤホンキャップ２００の装着状態を示す要部断面図であり、第１筐体１０２及び第２筐体１０３で構成される筐体１０１内部にはイヤホンジャック１１０（或いはコネクタなどでもよい）を設けているとともに、このイヤホンジャック１１０を筐体１０１外部に露出可能とするためこれに対応する筐体１０１には開口部１０１Ａが開口されている。
【０００６】
従って、イヤホンジャック１１０を図示外のイヤホンマイクなどの外部機器と接続させる場合には、イヤホンマイクなどの外部機器と接続させているプラグ３００（或いはコネクタ）などを開口部１０１Ａから差し込んで携帯電話機１００側との電気的接続を図ることができるようになっている。
【０００７】
一方、イヤホンキャップ２００は、通常、弾性材料で形成されて可塑性を有しており、筐体１０１の開口部１０１Ａを塞ぐための蓋部２０１と、この蓋部２０１の内面の一端部から延出して開口溝１０３Ａに挟み込まれる延出部２０２と、開口溝１０３Ａよりも大きく形成され延出部２０２を介して蓋部２０１と連結される前述の係止部２０３とを備えており、イヤホンキャップ２００は、この係止部２０３で筐体１０１側に開閉自在の状態で固定されている。
【０００８】
従って、イヤホンジャック１１０と外部機器とを接続するためにイヤホンキャップ２００を開閉する場合には、図１０において、延出部２０２が開口溝１０３Ａで挟持・嵌合された状態のまま、係止部２０３が筐体１０１の中に係止されているので、イヤホンキャップ２００が筐体１０１から離脱しないようになっている。
【０００９】
【特許文献１】
特開２００２−９９１１号公報（第２頁　図５）
【００１０】
【発明が解決しようとする課題】
しかしながら、このように筐体１０１でイヤホンキャップ２００を挟み込むように構成した（例えば、係止部２０３などの固定手段を備えた構成の）携帯電話機にあっては、イヤホンキャップ２００が破損などにより交換を余儀なくされた場合、一度、イヤホンキャップ２００を取り外さなければならない。
【００１１】
ところが、このイヤホンキャップ２００は、筐体１０１に挟持されており、延出部２０２などから切離さない限り、取り除くことができない。このような事情から、イヤホンキャップ２００を取り外すには、通常、携帯電話機１００の筐体１０１を一度分解する必要がある。つまり、互いに接合されている第１筐体１０２と第２筐体１０３を分割させる必要があり、イヤホンキャップ２００を取り外して交換することが面倒であるため、問題となっている。
【００１２】
また、このイヤホンキャップ２００は、普段、ある程度の力を外部から作用して引張っても延出部２０２が抜け出さないように固定・保持しておくには、筐体１０１内部で係止部２０３が確実に固定され保持されることが必要である。
【００１３】
ところが、このイヤホンキャップ２００は、成形時のひけや外観上の見栄え等を損なわないようにするために、延出部２０２および係止部２０３はあまり厚く形成できない。このような事情から、イヤホンキャップにある程度の抜け止め力を確保するには、どうしても係止部２０３を広く大きく形成することが必要となっている。この結果、係止部２０３の大型化により、筐体の大型化にもつながっている。
【００１４】
また、さらに、このイヤホンキャップ２００にあっては、前述したように、延出部２０２はある程度の厚さでしか形成できないので、例えば開閉の際に、誤ってイヤホンキャップ２００を過度の力で引張ると、脆弱な延出部２０２から破損し易く、係止部２０３だけが携帯電話機の内部に残った状態で引きちぎれてしまう虞もある。
【００１５】
本発明は、上記した事情に鑑み、キャップを筐体に装着後でも筐体を分解せずにキャップの着脱ができる電子機器及び携帯端末装置を提供することを目的とするものである。
【００１６】
【課題を解決するための手段】
本発明の電子機器は、筐体に凹状に設けた嵌合凹部と、外部との電気的接続を図る接続端子が露出する前記嵌合凹部内に設けた端子口と、可撓性を有するキャップを前記嵌合凹部に着脱自在に嵌合して前記キャップにより前記端子口を開閉自在に塞ぐために前記端子口の近傍の前記嵌合凹部内に設けた、前記キャップを取付ける取付口とを有する電子機器であって、
前記キャップには、前記取付口に着脱可能な形状の係合突起を有するとともに、
前記係合突起には、前記係合突起自身が変移しながら前記取付口に着脱するための隙間を有することを特徴としている。
【００１７】
これにより、キャップは隙間を介して変移することができるので、キャップを装着後に不用意な脱落を防止できるのと同時に、キャップの着脱操作が可能で、かつ、容易となる。
【００１８】
また、本発明の電子機器は、前記係合突起が、前記キャップの内面側から突出する第一の係合突起と、前記第一の係合突起近傍の前記内面側において前記第一の係合突起に相対する状態で突出する第二の係合突起とを、前記取付口に着脱可能な状態で備えるとともに、
前記第二の係合突起の上部側の縁部から延出して前記第一の係合突起の上部側と一体に繋がる延出部を備え、かつ、
前記第一の係合突起と前記第二の係合突起との間の一部に前記隙間を有することを特徴としている。
【００１９】
これにより、キャップを装着後に不用意な脱落を防止できるばかりか、キャップは隙間を介して変移することができるので、装着後にキャップの着脱を行う場合、従来のような筐体の分解必要なく、キャップをそのまま装着可能となり、装着作業が容易となる。
しかも、係合突起は、キャップの内面側から突出する一対の突起、つまり第一の係合突起と第二の係合突起で構成されており、筐体へ取付けるためのキャップの係合部分が極めて小さなスペースに収めることが可能となる。
【００２０】
また、本発明の電子機器は、前記筐体の前記嵌合凹部が、前記筐体の側面と端面とが交わる角隅面の部分に一部が跨った状態で設けてあることを特徴としている。
【００２１】
これにより、筐体の角隅（コーナー）部分を利用してキャップを嵌合凹部から開放するときには、例えば平面部分に設置する場合に比べて、略２７０度の大きな角度で開放された広い空間を利用してキャップの開放を行うことができるので、その分、キャップの開放操作を容易に行うことができる。
【００２２】
しかも、角隅（コーナー）部分に嵌合凹部を設置するときには、角隅（コーナー）部分を利用してキャップを着脱させる方が、キャップを平面部分で着脱させるよりも、開放スペースが広い分、着脱作業が容易に行える。
【００２３】
また、例えばこのキャップを取付けた嵌合凹部の近傍に操作キーやメモリーカード用のスロットなどを設けている場合であっても、角隅（コーナー）部分を利用してキャップを着脱させる方が、キャップを平面部分で着脱させるよりも、操作キーやメモリーカードに着脱作業の障害となる面は一方の面のみ配慮すればよいので、着脱作業が容易に行える。
【００２４】
また、本発明の電子機器は、前記筐体の前記角隅面を固有の曲率でアール状に形成しているとともに、
前記キャップは、前記筐体の前記角隅面のアール形状に対応する曲率で前記第二の係合突起の突出方向に湾曲した形状を有することを特徴としている。
【００２５】
これにより、普段、キャップを嵌合凹部に嵌合させてキャップを閉じておくときに、筐体のアール形状に倣ってキャップを強制的に曲げようとする力が作用せず、キャップの耐久性が向上する。また、通常、形状的に設置するのが難しく、デッドスペースとなり易い部分を積極的に利用し、ここにキャップを設置するようになっているので、筐体の外面部分の有効活用を図ることができる。
【００２６】
また、本発明の電子機器は、前記筐体の前記角隅面を固有の傾斜角度で面取り形状に形成しているとともに、
前記キャップは、前記筐体の前記角隅面の面取り形状に対応する傾斜角度で前記第二の係合突起の突出方向に傾斜した形状を有することを特徴としている。
【００２７】
これにより、普段、キャップを嵌合凹部に嵌合させてキャップを閉じておくときに、筐体の面取り形状に倣ってキャップを強制的に曲げようとする力が作用せず、キャップの耐久性が向上する。また、通常、形状的に設置するのが難しく、デッドスペースとなり易い部分を積極的に利用し、ここにキャップを設置するようになっているので、筐体の外面部分の有効活用を図ることができる。
【００２８】
また、本発明の電子機器は、前記キャップの前記第一の係合突起が前記第二の係合突起よりも細幅であって、前記第一及び第二の係合突起の全体形状が略Ｔ字型を呈することを特徴としている。
【００２９】
これにより、キャップを筐体部分から引っ張って抜き取る場合に、容易に抜き取ることができる。また、筐体へ取付けるためのキャップの係合部分が極めて小さなスペースですみ、小型化が可能となる。
【００３０】
また、本発明の電子機器は、少なくとも前記第一の係合突起に、前記キャップの開放方向に向けて突出する突起を先端部に設けたことを特徴としている。
【００３１】
これにより、突起が筐体に穿設した取付口に係止するストッパ手段となり、取付口に装着後のキャップが不用意に脱落するのを一層確実に防止できるようになる。
【００３２】
また、本発明の携帯端末装置は、前記キャップの前記内面側の前記第一の係合突起を突出する部位又は前記部位の近傍に、前記キャップの開放方向と直交する方向に沿った溝を設けたことを特徴としている。
【００３３】
これにより、キャップを装着した後には、不用意な脱落を一層確実に防止できるようになる。
【００３４】
また、本発明の携帯端末装置は、前記キャップの外面側の前記第二の係合突起を突出する部位又は前記部位の近傍であって、前記第一の係合突起の近傍に設けた前記溝の刻設位置と対応する位置よりも前記第二の係合突起寄りの位置に、前記キャップの開放方向と直交する方向に沿った溝を配設したことを特徴としている。
【００３５】
これにより、キャップを筐体から離間する開放方向に回動動作するのに僅かな回動力ですみ、開放操作が容易になる。
【００３６】
また、本発明の携帯端末装置は、筐体に設けた端子口を開閉自在に塞ぎ、かつ、嵌合凹部に着脱自在に嵌合するとともに、取付口に着脱可能な、本発明の前記電子機器に備えたものと同一構成のキャップを有することを特徴としている。
【００３７】
これにより、携帯端末装置においても、キャップは隙間を介して変移することができるので、キャップを装着後に不用意な脱落を防止できるのと同時に、キャップの着脱操作が可能で、かつ、容易となる。
【００３８】
また、本発明の携帯端末装置は、前記筐体の前記嵌合凹部を、アンテナを突設する側面側とは反対側の側面において、前記アンテナを設けた端面につながる角隅面に一部が跨った状態で設けたことを特徴としている。
【００３９】
これにより、筐体の角隅面の一方にアンテナの設置場所を従前通り確保しつつ、嵌合凹部の形成場所も筐体の他方の角隅面の部分に確保することができる。
【００４０】
【発明の実施の形態】
以下、本発明に係る実施の形態について、添付図面を参照しながら詳細に説明する。
〔第１の実施の形態〕
図１は本発明の第１の実施の形態に係る折畳式の携帯電話機１を示すものであり、この携帯電話機１には、図示外のイヤホンマイク用コネクタ（又はプラグでもよい）を接続するために、このコネクタと接触する接続端子６１を設けた略矩形状のコネクタ（又はジャック）６を筐体２の側面に開口した開口部３に備えているとともに、この開口部３には、これを塞ぐためのキャップ５を開閉自在に設けている。
【００４１】
一方、この筐体２の開口部３に隣接した側面には、メモリーカード（記録媒体）などを挿脱するためのスロット４を開口している。なお、この筐体２の側面の開口部３に隣接した部分には、本実施の形態のスロット４に限らず、イヤホンマイク用（信号入出力用）コネクタと同様に、各種の接続機器用コネクタ（又はジャック）を設けた開口部や、各種の操作ボタン（例えば、サイドキー）などを設置してもよい。
【００４２】
筐体２は、図１において、図示外の液晶表示部（ＬＣＤ）を有する上側筐体２１と、各種の操作を行う図示外の操作部を設けた下側筐体２２と、これら上側筐体２１及び下側筐体２２を開閉自在に連結するヒンジ部２３とを備えている。
このうち下側筐体２２は、内側筐体２２Ａと外側筐体２２Ｂとを接合して一体に形成しており、前述した開口部３がこれらの接合部に跨った双方の筐体２２Ａ，２２Ｂの側面（後述する側面β）部分に形成されている。
【００４３】
開口部３には、図２に示すように、側面（外面）β部分から一段窪ませてステップ（段差）状に形成した嵌合凹部３１と、この嵌合凹部３１の前述したスロット４寄りに信号入出力用端子６を臨んで囲設するような状態で開口した端子口３２と、この端子口３２の近傍に開口した取付口３３とを備えているとともに、取付口３３には、嵌合凹部３１を開閉自在に塞ぐため、前述したキャップ５が着脱可能に取付けられている。
【００４４】
嵌合凹部３１は、例えば本実施の形態では、図２に示すように、下側筐体２２の側面において隣接して設けたスロット４から下側筐体２２の内部へメモリーカード（記録媒体）を挿脱する場合に、このスロット４での挿脱操作の邪魔にならないようにするため、下側筐体２２において、ヒンジ部２３を設けた端面αと側面βとの交叉する角隅部分、換言すれば、アンテナ７設置側の角隅面とは反対側の角隅面Ｃに対して一部跨って形成されている。
即ち、この嵌合凹部３１は、Ｒ形状に面取り（Ｒ取り）されてＲ面を構成している角隅面（図１、図２にＣで示す部分）に一部が跨がる一方、その残り部分である主要部が下側筐体２２の側面βに形成されている。
【００４５】
また、この嵌合凹部３１は、ステップ（段差）状に一段窪んで形成された略方形状（正しくは、一方側の端辺部分３１Ａが円弧状（若しくは三角形状でもよい））を有するものであり、前述のキャップ５が前述の側面β及び端面αに段差なく嵌まり込む、キャップ５の受け部を構成している。
【００４６】
一方、端子口３２は、図２に示すように、嵌合凹部３１のスロット４寄りに開口された矩形状の孔で構成されており、この端子口３２のほぼ中央部には前述の接続端子６１を取付けたコネクタ６が外部に露出した状態で臨んでいる。
【００４７】
取付口３３は、図２に示すように、端子口３２に隣接する下側筐体２２の角隅面Ｃに略Ｔ字型に穿設された孔で構成されており、詳細には、下側筐体２２の側面βの長手方向と直交する幅方向に幅広く開口された主開口部３３Ａと、この主開口部３３Ａの中央部分から下側筐体２２の側面βの短手方向に並行で、かつ、角隅面Ｃに向けて突出する補助開口部３３Ｂとで構成されており、この取付口３３にキャップ５の後述する係合突起５１，５２が着脱可能な状態で挿入・係合されるようになっている。
【００４８】
キャップ５は、可塑性を有する適宜の弾性材料、例えばエラストマー等の各種の合成ゴム材料や各種の弾性樹脂材料を用いて可撓性を付与するように薄肉状に形成されてている。また、このキャップ５には、図３に示すように、下側筐体２２の取付口３３の主開口部３３Ａに取付けて固定される長尺係合突起５１と、これに背中合わせの状態で相対する位置に設けた短尺係合突起５２とを備えるとともに、短尺係合突起５２から側方に延びる延出部５３を備えており、夫々の係合突起５１，５２の先端部どうしを一体に繋げるようになっている。
【００４９】
長尺係合突起５１は、キャップ５の開閉時に下側筐体２２からこのキャップ５が脱落するのを防止する抜け止め機能を有するとともに、キャップ５の開閉動作の際の回動支点としての機能も有するようになっている。
一方、短尺係合突起５２は、長尺係合突起５１と協働して下側筐体２２からの抜け止めを行う抜け止め機能も有するものであるが、長尺係合突起５１の倒れを防止するストッパとして機能するようになっている。
【００５０】
また、このキャップ５には、長尺係合突起５１と短尺係合突起５２を突設させている夫々の基端部（下部）から中間部まで先端部（上部）を除く部分に、図３（Ａ）において略三角形を呈するスペース、つまり隙間５４を形成しており、下側筐体２２にキャップ５を挿脱する際には、長尺係合突起５１と短尺係合突起５２が自在に変移・変形して挿脱動作を行い易くすることもできるようになっている。
【００５１】
さらに、この長尺係合突起５１と短尺係合突起５２には、それぞれ先端部（上部）において、側方（つまり、互いに反対方向に向かう外方）に延びる突起５１Ａ，５２Ａが形成されており、特にこれらの突起は、先端部（上部）に向けて窄んだテーパ状に形成されている。これにより、各突起５１Ａ，５２Ａは、挿入方向をスムースにガイドすると共に挿入時の押込み力を軽減させて挿入操作が容易に行える機能を有するとともに、一旦、長尺係合突起５１と短尺係合突起５２が取付口３３から挿入された後には、図示外のイヤホンマイク用コネクタを接続するためにキャップ５を開閉する程度では簡単に脱落せぬよう、脱落防止機能も有している。
【００５２】
また、このキャップ５には、前述のイヤホンマイク用（信号入出力用）コネクタ６に外挿させてこのコネクタ６を固定して保護するために、内面側に固定部５５が突設されている。
【００５３】
さらに、このキャップ５には、内面側の長尺係合突起５１を突出する基端部（下部）又はこの近傍に、キャップ５の開放方向（キャップの長手方向）と直交する幅方向に沿った内溝５６を設けており、キャップ５に薄肉部分を形成している。
【００５４】
一方、キャップ５の外面側には、短尺係合突起５２を突出する基端部（下部）又はこの近傍に、長尺係合突起５１の近傍に設けた内溝５６の刻設位置と対応する位置よりも短尺係合突起５２寄りの位置に、キャップ５の開放方向（キャップの長手方向）と直交する幅方向に沿った外溝５７を設けており、内溝５６と同様に、キャップ５に薄肉部分を形成している。
【００５５】
従って、これらの内溝５６及び外溝５７で構成する薄肉部分が回動中心となり、キャップ５の先端部（普段、この部分が自由端を構成する）５Ｂが内外方向に屈曲しやすくなっており、キャップの開閉動作を行い易くしている。
【００５６】
次に、本実施の形態に係るキャップ５を筐体２に取付ける（装着する）ための作業方法及び取り外す（抜出する）ための作業方法について、図４乃至図６を参照しながら説明する。
Ｉ．下側筐体２２へのキャップ５の取付け：
このキャップ５を下側筐体２２に取付ける（装着する）ときの方法としては、以下の（１），（２）２通りがある。
【００５７】
（１）図４に示すように、各係合突起５１，５２を下側筐体２２の取付口３３にあてがいながら、キャップ５の固定端Ａ又はその近傍をキャップ５の外面側から一気に押下して、取付口３３から下側筐体２２の奥部へ向け各係合突起５１，５２を挿入する。
【００５８】
これにより、同図において、キャップ５は、取付口３３の外面３３１の方向から、取付口３３の内周縁部３３２に接触・摺動するように挿入されていく。特に、この挿入時には、キャップ５の長手係合突起５１と短手係合突起５２が、夫々、隙間５４を埋めるように変形しながら挿入されていくため、下側筐体２２に容易に取付けられる。そして、これら長手係合突起５１と短手係合突起５２は、取付口３３の内面３３３に到達すると、形状が復帰するので、各突起５１Ａ，５２Ａが抜け止め作用を発揮する。
【００５９】
（２）また、別の取付方法としては、図５に示すように、キャップ５の固定端Ａを折り返し、係合突起５１，５２を外部へ突き出した（むき出した）格好で、下側筐体２２の取付口３３に挿入しながら押下してもよい。これによって、取付口３３から下側筐体２２の内部（奥部）へ各係合突起５１，５２を挿入することもできる。
【００６０】
ＩＩ．キャップ５の取り外し（抜出する）：
次に、本実施の形態に係るキャップ５を筐体２に取り外す（抜出する）作業方法について、図６を参照しながら説明する。
【００６１】
初めに、図６（Ａ）に示すように、キャップ５の自由端Ｂ側を開いた状態で、或いはキャップ５を閉じた状態のまま、固定端Ａ側を指先や適宜の治具で引掛けてから、ひねり方向γに傾けながら引き上げる。これとともに、自由端Ｂ側からキャップ５を引っ張れば、隙間５４を利用して各係合突起２１，２２を適宜の形状に変形させながら引き抜くことができる。
【００６２】
即ち、本実施の形態では、長手係合突起５１を長く形成するとともに短手係合突起５２を短く形成しており、キャップ５の係合突起５１，５２は、キャップ５の幅方向（短手方向）について溝幅が異なる、つまり２つの係合突起全体での形状が略Ｔ字型形状を呈しているので、キャップ５が下側筐体２２から離脱し難くなっている。
【００６３】
また、このキャップ５は、幅の狭い短手係合突起５２のある方から、つまり固定端Ａから前述したひねり方向γに傾けて取り外そうとすると、延出部５３および短手係合突起５２の突っ張り作用が働かず、長手係合突起５１側の突起５１Ａの幅方向の両端となるテーパ状を有するテーパ端部５１Ｂから容易に外すことができるように構成されている。
これにより、無理に大きな力を作用させなくても、比較的簡単にキャップ５を取り外すことができる。
【００６４】
このように、本実施の形態によれば、キャップ５の装着作業については、上述した２種類の作業方法が実行可能である。しかも、これらの装着作業は、いずれの方法であっても、下側筐体２２の外部から容易に行うことができるので、キャップ５の装着方法の自由度は高い。一方、キャップ５の抜出し作業についても、キャップ５の装着作業と同様に、下側筐体２２の外部から容易に行うことができる
従って、本実施の形態によれば、従来のように、筐体を分解して内部を開いた状態でキャップ５を装着する必要がなくなり、作業性が大幅に向上する。
【００６５】
次に、本実施の形態に係るキャップ５を筐体２に装着しているときの抜脱防止作用について、図６を参照しながら説明する。
【００６６】
同図において、一旦、キャップ５が下側筐体２２に装着されると、長手係合突起５１及び短手係合突起５２にそれぞれ設けた係合部５１Ａ及び５２Ａにより、それぞれ、主開口部３３Ａ及び補助開口部３３Ｂの縁部を内外から挟持するようにして、キャップ５が保持された状態になる。
【００６７】
ここで、図６（Ａ）に示すように、例えば、キャップ５の自由端Ｂを下方に無理やり引張ろうとすると、長手係合突起５１だけではなく、この長手係合突起５１に連動して押し潰される延出部５３および短手係合突起５２が、取付口３３の開口寸法よりも大きい剛体となって変形し、キャップ５が下側筐体２２から離脱し難くなる。
【００６８】
一方、同図（Ｂ）に示すように、キャップ５の自由端Ｂを、例えば上方（図示外のヒンジ部２３側の端面α）に向けて無理やり引っ張ろうとすると、短手係合突起５２だけではなく、この短手係合突起５２に連動して押し潰される延出部５３及び長手係合突起５１が取付口３３よりも大きな剛体となって変形し、同図（Ａ）の場合と同様に、キャップ５が下側筐体２２から離脱し難くなる。
【００６９】
なお、本実施の形態では、キャップ５には、長尺係合突起５１と、短尺係合突起５２と、短尺係合突起５２から側方に延びる延出部５３と、隙間５４とを備えると共に、これら長尺係合突起５１及び短尺係合突起５２には、それぞれ先端部において、側方（外方）に延びる突起５１Ａ，５２Ａが形成されているが、特にこの構成のものに限定されるものではない。
【００７０】
例えば図７に示すように、キャップ８は、少なくとも長尺係合突起８１及び短尺係合突起８２のうち、長尺係合突起８１の方に突起８１Ａが形成されてあればよく、短尺係合突起８２には、キャップ５の突起５２Ａに対応する突起がなくても構わない（これについては、次の第２の実施の形態において、詳述する）。
【００７１】
〔第２の実施の形態〕
次に、本発明の第２の実施の形態について、図７及び図８を参照しながら説明する。なお、本実施の形態において、第１の実施の形態と同一部分には同一符号を付して重複説明を避ける。
図７に示すように、第２の実施の形態のキャップ８には、長尺係合突起８１の方に突起８１Ａが形成されているが、短尺係合突起８２には、キャップ５の突起５２Ａに対応する突起がない。
【００７２】
従って、このキャップ８の場合にも、キャップ５の場合と同様に、図７および図８に示す２通りのいずれの方法でも下側筐体２２への装着作業を行うことができ、しかも、短尺係合突起８２には突起がないので、この下側筐体２２への装着作業は容易に行うことができる。
【００７３】
一方、このキャップ８を下側筐体２２から取り外す場合には、キャップ５と同様にして、固定端Ａからひねり方向γ（図７参照）に傾けながら引き上げるようにすれば良い。また、このキャップ８の場合には、前述した装着する場合と同様の理由から、下側筐体２２から取り外し作業は容易に行うことができる。
【００７４】
なお、このキャップ８には、前述したように、短尺係合突起８２にキャップ５の突起５２Ａに対応する突起がないが、この短尺係合突起８２は主に長尺係合突起８１の倒れを防止するストッパ作用として機能するようになっている。
一方、長尺係合突起８１の方に突起８１Ａが形成されているので、この短尺係合突起８２に突起がなくても、キャップ８を開いてイヤホンマイク用コネクタ（又はプラグ）をコネクタ６に接続する程度の普段の開閉動作では、キャップ８の脱落防止が十分に図られている。
【００７５】
なお、本実施の形態では、本発明を開閉式の携帯電話機１について適用したが、特にこれに限定されるものでなく、棒状（ストレート状）の携帯電話機であっても構わない。また、本発明は、このような各種の携帯電話機に限るものではなく、各種の電子機器にも適用可能である。
【００７６】
【発明の効果】
以上説明してきたように、本発明は、筐体に凹状に設けた嵌合凹部と、外部との電気的接続を図る接続端子が露出する嵌合凹部内に設けた端子口と、可撓性を有するキャップを嵌合凹部に着脱自在に嵌合してキャップにより端子口を開閉自在に塞ぐために端子口の近傍の嵌合凹部内に設けた、キャップを取付ける取付口とを有する電子機器であって、キャップには、取付口に着脱可能な形状の係合突起を有するとともに、係合突起には、係合突起自身が変移しながら取付口に着脱するための隙間を有している。
【００７７】
従って、本発明によれば、キャップを筐体に装着後に、筐体からキャップの着脱を容易に行うことができる効果が得られるものである。
【図面の簡単な説明】
【図１】本発明の第１の実施の形態に係る携帯電話機を示す外観斜視図である。
【図２】図１に示す携帯電話機の下側筐体におけるキャップの装着部分を示す要部拡大図である。
【図３】本発明の第１の実施の形態に係る携帯電話機に設けたキャップを示すものであり、（Ａ）はそのキャップの側面図、（Ｂ）はキャップの裏面図、（Ｃ）はキャップ裏面からみたときの斜視図である。
【図４】図１に示す携帯電話機の下側筐体にキャップを装着するときの方法を示す説明図である。
【図５】図１に示す携帯電話機の下側筐体にキャップを装着するときの別の方法を示す説明図である。
【図６】図１に示す携帯電話機の下側筐体におけるキャップの開閉状態を示すものであり、（Ａ）はキャップの自由端側を一方側へ引張ったときの状態を説明図、（Ｂ）はキャップの自由端側を他方側へ引張ったときの状態を説明図である。
【図７】本発明の第２の実施の形態に係るキャップを携帯電話機の下側筐体に装着するときの方法を示す説明図である。
【図８】図７に示すキャップを携帯電話機の下側筐体に装着するときの別の方法を示す説明図である。
【図９】従来のキャップとこのキャップを装着する携帯電話機の筐体を示す分解斜視図である。
【図１０】図９に示す携帯電話機の筐体における従来のキャップの装着状態を示す要部断面図である。
【符号の説明】
１　　　　携帯電話機
２　　　　筐体
２１　　　上側筐体
２２　　　下側筐体
２２Ａ　　内側筐体
２２Ｂ　　外側筐体
２３　　　ヒンジ部
３　　　　開口部
３１　　　嵌合凹部
３１Ａ　　端辺部分
３２　　　端子口
３３　　　取付口
３３１　　外面３３１
３３２　　内周縁部
３３３　　内面
３３Ａ　　主開口部
３３Ｂ　　補助開口部
４　　　　スロット
５　　　　キャップ
５１　　　長尺係合突起（第一の係合突起）
５１Ａ　　突起
５２　　　短尺係合突起（第二の係合突起）
５２Ａ　　突起
５３　　　延出部
５４　　　隙間
５５　　　固定部
５６　　　内溝
５７　　　外溝
６　　　　コネクタ
６１　　　接続端子
７　　　　アンテナ
８　　　　キャップ
８１　　　長尺係合突起
８１Ａ　　突起
８２　　　短尺係合突起
Ａ　　　　固定端
Ｂ　　　　自由端
Ｃ　　　　角隅面
α　　　　端面
β　　　　側面
γ　　　　ひねり方向
【図１】
2004140166.tif 000003
【図２】
2004140166.tif 000004
【図３】
2004140166.tif 000005
【図４】
2004140166.tif 000006
【図５】
2004140166.tif 000007
【図６】
2004140166.tif 000008
【図７】
2004140166.tif 000009
【図８】
2004140166.tif 000010
【図９】
2004140166.tif 000011
【図１０】
2004140166.tif 000012